(57)【要約】【課題】取付孔の箇所が低くなっている段差のある支持パネルに電線束を配索する際に部品が破損し難く配索作業が容易なバンドクリップ等を提供する。【解決手段】バンド本体１０と、クリップ本体２０と、バンド本体１０とクリップ本体２０とを連結する連結部２６と、を備え、連結部２６は、皿部２３と一体に設けられた固定ブロック２４と、固定ブロック２４が嵌合される凹部１６が形成され、バンド部固定部１２と一体に設けられたスライドブロック１４と、を有し、固定ブロック２４は、両側面に互いに平行な複数の凸条部２５が形成され、スライドブロック１４は、固定ブロック２４の両側面に対応する凹部の内面に、凸条部２５に係合する凹条部１５が形成され、凸条部２５と凹条部１５は、スライドブロック１４が固定ブロック２４から引き抜かれる方向にスライド可能でその逆方向にはスライド不可能に係合する。【選択図】図１
2017153185.tif 000002
【特許請求の範囲】
【請求項１】
電線束に巻付けられるバンド部と、前記バンド部の基端を固定しかつ先端部側をロックするバンド部固定部と、を有するバンド本体と、
アンカー部と皿部とで支持パネルの取付孔に係止されるクリップ本体と、
前記バンド本体と前記クリップ本体とを連結する、連結長を変更可能な連結部と、を備え、
前記連結部は、前記皿部と一体に設けられた固定ブロックと、前記固定ブロックが嵌合される凹部が形成され、前記バンド部固定部と一体に設けられたスライドブロックと、を有し、
前記固定ブロックは、両側面に互いに平行な複数の凸条部が形成され、前記スライドブロックは、前記固定ブロックの前記両側面に対応する前記凹部の内面に、前記凸条部に係合する凹条部が形成され、前記凸条部と前記凹条部は、前記スライドブロックが前記固定ブロックから引き抜かれる方向にスライド可能でその逆方向にはスライド不可能に係合することを特徴とするバンドクリップ。
【請求項２】
前記固定ブロックの別の一側面の上部に第１抜け止め部が形成され、前記固定ブロックの前記第１抜け止め部に対応する前記スライドブロックの前記凹部の内面下部に、前記第１抜け止め部に係止する第２抜け止め部が形成されたことを特徴とする請求項１に記載のバンドクリップ。
【請求項３】
前記固定ブロックの前記両側面とは別の両側面に位置決め凸部が設けられ、前記固定ブロックの前記位置決め凸部に対応する前記スライドブロックの前記凹部の内面に、前記位置決め凸部に嵌合する位置決め凹部が形成され、前記位置決め凸部と前記位置決め凹部とが嵌合することで前記凸条部と前記凹条部との隙間を規制することを特徴とする請求項１または２に記載のバンドクリップ。
【請求項４】
電線束と、請求項１ないし３のいずれか１項に記載のバンドクリップとを備え、前記バンドクリップの前記バンド本体で前記電線束を抱持したことを特徴とするワイヤハーネス。
【発明の詳細な説明】
【技術分野】
【０００１】
本発明は、バンドクリップおよびこれを備えたワイヤハーネスに関する。
【背景技術】
【０００２】
従来、車両内にワイヤハーネスを配索するためにバンドクリップが用いられている。従来の一般的なバンドクリップは、バンド本体とクリップ本体とを有する。バンド本体は、バンド部と、バンド部の基端を固定しかつ先端部側をロックするバンド部固定部と、を有する。クリップ本体は、バンド部固定部と一体の皿部と、皿部と一体のコラム部と、コラム部と一体のアンカー部とを有する。
【０００３】
上記構成のバンドクリップは、支持パネルの取付孔から電線束までの離間距離が大きい箇所では、アンカー部が取付孔に届かず適用することができない。
【０００４】
具体的に説明すると、車両内における電線束の配索経路には、支持パネルの取付孔を有する部位の高さレベルが配索方向にオフセットした他の部位の高さレベルよりも大きく落ち窪んでいる箇所が存在する。すなわち、支持パネルの取付孔の位置では、支持パネルから電線束までの離間距離が大きく、支持パネルの取付孔からオフセットした位置では、支持パネルの取付孔から電線束までの離間距離が小さいという状況にある。この状況の取付孔に、従来の一般的なバンドクリップを適用し、アンカー部を接近させていくと、接近途中で、電線束におけるバンド本体により抱持された位置からオフセットした位置が、支持パネルにおける取付孔からオフセットした部位に先に当接してしまう。このため、アンカー部が取付孔に届かず、従来のバンドクリップを適用することができない。
【０００５】
上記のような場合、従来は、例えば、特許文献１に示すバンドクリップを適用することができる。図７に示すバンドクリップ３６は、特許文献１に示すものと実質的に同一の構成であり、バンド本体３７とクリップ本体３８とが、水平方向にオフセットしていて、かつ上下方向に相対的にスライド可能に連結されている。
【０００６】
このバンドクリップ３６は、枝線３５が幹線３４から上方に延びかつ幹線３４が大径部分３４ａと小径部分３４ｂとに径サイズを大きく変化しているような電線束３３を、その大径部分３４ａにおける支持パネル３１から電線束までの離間距離が小さくなるように配索する必要があるときに適用される。すなわち、バンドクリップ３６は、大径部分３４ａに対応する位置でバンド本体３７により電線束３３を抱持し、小径部分３４ｂに対応する位置に設けられた取付孔３２に対してクリップ本体３８が装着され、バンド本体３７側をクリップ本体３８側に対して相対的に押し下げるように装着されている。
【先行技術文献】
【特許文献】
【０００７】
【特許文献１】特開２０１５−５３７８３号公報
【発明の概要】
【発明が解決しようとする課題】
【０００８】
しかしながら、特許文献１に記載の技術にあっては、支持パネルの取付孔３２と配索される電線束３３との高さレベルの違い（段差）に対応するために、クリップ本体３８からオフセットしたバンド本体３７を押し下げてスライド連結部で下方にスライドさせていた。このため、クリップ本体３８のアンカー部に過度の応力が集中しアンカー部が破損する懸念があった。また、バンド本体３７を押し下げる作業によりストローク限界を越えてバンド本体３７とクリップ本体３８とが分離してしまうという問題もあった。そのため、バンド本体３７を押し下げて段差を吸収する作業は注意を要するものとなっていた。
【０００９】
本発明は、上述のような課題を解決するためになされたもので、取付孔の箇所が低くなっている段差のある支持パネルに電線束を配索する際に部品が破損し難く配索作業が容易なバンドクリップおよびこれを備えたワイヤハーネスを提供することを目的とする。
【課題を解決するための手段】
【００１０】
本発明に係るバンドクリップは、上記目的達成のため、電線束に巻付けられるバンド部と、前記バンド部の基端を固定しかつ先端部側をロックするバンド部固定部と、を有するバンド本体と、アンカー部と皿部とで支持パネルの取付孔に係止されるクリップ本体と、前記バンド本体と前記クリップ本体とを連結する、連結長を変更可能な連結部と、を備え、前記連結部は、前記皿部と一体に設けられた固定ブロックと、前記固定ブロックが嵌合される凹部が形成され、前記バンド部固定部と一体に設けられたスライドブロックと、を有し、前記固定ブロックは、両側面に互いに平行な複数の凸条部が形成され、前記スライドブロックは、前記固定ブロックの前記両側面に対応する前記凹部の内面に、前記凸条部に係合する凹条部が形成され、前記凸条部と前記凹条部は、前記スライドブロックが前記固定ブロックから引き抜かれる方向にスライド可能でその逆方向にはスライド不可能に係合する構成である。
【００１１】
この構成により、スライドブロックが固定ブロックに最大限嵌合した状態でバンド本体により電線束を抱持し、アンカー部を支持パネルの取付孔に係止させると、電線束の復元力により人手を介さずにスライドブロックが固定ブロックから引き上げられ、所望の位置で電線束を保持することができる。これにより、特許文献１に記載のように段差を吸収するために作業員がバンド本体を押し下げる等の作業を行う必要がない。また、バンド本体とクリップ本体とが水平方向にオフセットしていないので、アンカー部に応力が集中することもない。これにより、段差のある支持パネルに対して電線束の配索作業を行うとき、クリップ本体が破損する可能性を低減できる。
【００１２】
また、前記固定ブロックの別の一側面の上部に第１抜け止め部が形成され、前記固定ブロックの前記第１抜け止め部に対応する前記スライドブロックの前記凹部の内面下部に、前記第１抜け止め部に係止する第２抜け止め部が形成された構成としてもよい。
【００１３】
この構成により、スライドブロックが固定ブロックから最大限引き出された状態に達すると、その状態で保持される。これにより、スライドブロックが固定ブロックから抜け出ることがなく、バンド本体とクリップ本体とが分離するのを防止できる。
【００１４】
また、前記固定ブロックの前記両側面とは別の両側面に位置決め凸部が設けられ、前記固定ブロックの前記位置決め凸部に対応する前記スライドブロックの前記凹部の内面に、前記位置決め凸部に嵌合する位置決め凹部が形成され、前記位置決め凸部と前記位置決め凹部とが嵌合することで前記凸条部と前記凹条部との隙間を規制する構成としてもよい。
【００１５】
この構成により、スライドブロックの凸条部と固定ブロックの凹条部との隙間（例えば、０．５〜１ｍｍ）を両側面で均等に設定することができる。これにより、スライドブロックがスライドするのに要する力を必要最小限に維持することができる。これにより、スライドブロックのスライドに利用する電線束の復元力が小さくてもスライド移動が可能となる。
【００１６】
本発明に係るワイヤハーネスは、電線束と、前記バンドクリップとを備え、前記バンドクリップの前記バンド本体で前記電線束を抱持した構成である。
【発明の効果】
【００１７】
本発明によれば、取付孔の箇所が低くなっている段差のある支持パネルに電線束を配索する際に部品が破損し難く配索作業が容易なバンドクリップおよびこれを備えたワイヤハーネスを提供することができる。
【図面の簡単な説明】
【００１８】
【図１】本発明の実施の形態に係るバンドクリップを示す概略正面図である。
【図２】本発明の実施の形態に係るクリップ本体および固定ブロックの概略斜視図である。
【図３】図３（ａ）は本発明の実施の形態に係るクリップ本体および固定ブロックの概略平面図であり、図３（ｂ）はその概略正面図である。
【図４】本発明の実施の形態に係るバンド本体およびスライドブロックの概略斜視図である。
【図５】図５（ａ）は本発明の実施の形態に係るバンド本体およびスライドブロックの概略平面図であり、図５（ｂ）はその概略正面図である。
【図６】本発明の実施の形態に係るワイヤハーネスを支持パネルに配索する方法を示す説明図であり、図６（ａ）はアンカー部を支持パネルの取付孔に挿入する前の状態を示し、図６（ｂ）は挿入直後の状態を示し、図６（ｃ）は挿入後にスライドブロックが持ち上がった状態を示す。
【図７】特許文献１に記載されたバンドクリップの構成を示す説明図である。
【発明を実施するための形態】
【００１９】
以下、本発明の実施の形態について、図面を参照して説明する。
【００２０】
本実施の形態に係るバンドクリップ１は、車両内等で段差のある支持パネル３に電線束２を配索する際に電線束２の配索経路を規制するためのものである。このバンドクリップ１は、バンド本体１０と、クリップ本体２０と、バンド本体１０とクリップ本体２０とを連結する連結部２６と、を備えている。
【００２１】
バンド本体１０は、電線束２に巻付けられるバンド部１１と、バンド部１１の基端を固定しかつ先端部側をロックするバンド部固定部１２と、を有している。バンド本体１０は、合成樹脂製の一体成形品である。
【００２２】
電線束２は、複数の被覆電線がテープ巻き等で束ねられ、その上にコルゲートチューブなどの外装品が外装されたものである、本明細書および特許請求の範囲で電線束というときは、コルゲートチューブなどの外装品を外装していないものも含む。
【００２３】
バンド部１１は、電線束２に巻付けられて電線束２を抱持できる長さを有し、先端部の一表面にロック用凹凸部が形成されている。バンド部固定部１２の側面には、バンド挿通孔１２ａが形成されており、バンド挿通孔１２ａの挿通孔下面にはロック用凹凸部が形成されている。そして、バンド部１１が電線束２に巻付けられ、先端部側がバンド挿通孔１２ａに挿通され、バンド部１１側のロック用凹凸部と、バンド挿通孔１２ａ側のロック用凹凸部とが係合して電線束２の抱持状態がロックされるようになっている。
【００２４】
クリップ本体２０は、アンカー部２１と皿部２３とで支持パネル３の取付孔４に係止されるように構成されている。クリップ本体２０は、合成樹脂製の一体成形品である。
【００２５】
具体的には、クリップ本体２０は、アンカー部２１と、一端部がアンカー部２１と一体に設けられた柱状のコラム部２２と、コラム部２２の他端部と一体に設けられた皿部２３と、を備えている。アンカー部２１は、その後端部が取付孔４より若干大きい径を有し、取付孔４への挿入時には外周部が弾性変形して取付孔４を通過できるが、通過後は後端部が取付孔４周縁に当たって抜けないようになっている。皿部２３は、アンカー部２１とは反対側で、外縁部が支持パネル３に当接してクリップ本体２０を支持している。
【００２６】
連結部２６は、バンド本体１０とクリップ本体２０とを連結するものであり、連結長を変更可能な構成となっている。連結長とは、連結部２６の上下方向の長さをいう。連結長を変更することができるので、クリップ本体２０からバンド本体１０までの離間距離を調整できる構成となっている。
【００２７】
連結部２６は、皿部２３と一体に設けられた樹脂製の固定ブロック２４と、固定ブロック２４が嵌合される凹部１６が形成され、バンド部固定部１２と一体に設けられた樹脂製のスライドブロック１４と、を有している。固定ブロック２４とスライドブロック１４との嵌合の深さを変更することにより、連結長を変更できる構成となっている。
【００２８】
具体的には、固定ブロック２４は、その両側面２４ａ、２４ａに互いに平行な複数の凸条部２５が形成されている。また、スライドブロック１４は、固定ブロック２４の上記両側面２４ａ、２４ａにそれぞれ対応する凹部１６の内面に、凸条部２５に係合する凹条部１５が形成されている。
【００２９】
固定ブロック２４は、皿部２３の幅より狭い幅を有する直方体形状のブロックであるが、後で説明する位置決め凸部２７、２７が両脇に設けられており、図３（ａ）に示すように、平面視で十字形状となっている。固定ブロック２４の凸条部２５が形成された側面２４ａ、２４ａの幅を狭くしているのは、スライドブロック１４がより小さい外力でスライドできるようにするためである。この側面２４ａ、２４ａの幅は、支持パネル３の段差や配索する電線束２の復元力などに応じて適宜設定される。
【００３０】
スライドブロック１４は、固定ブロック２４が嵌合される凹部１６を有している。具体的には、スライドブロック１４は、固定ブロック２４の直方体形状のブロックを隙間嵌めで嵌め込める直方体形状の凹部１６を有し、その両脇に後で説明する位置決め凹部１７、１７が設けられている。よって、スライドブロック１４には、図５（ａ）に示すように平面視で十字形状凹部が形成されている。
【００３１】
また、固定ブロック２４側の凸条部２５とスライドブロック１４側の凹条部１５は、スライドブロック１４が固定ブロック２４から引き抜かれる方向にスライド可能でその逆方向にはスライド不可能に係合するように構成されている。
【００３２】
図３（ｂ）に示すように、固定ブロック２４側の複数の凸条部２５は、歯先が上向きの断面略鋸歯形状を有している。具体的には、各凸条部２５は、略水平な面２５ａと傾斜した面２５ｂとで鋸歯の１山を構成している。
【００３３】
スライドブロック１４側の複数の凹条部１５は、図５（ｂ）に示すように、固定ブロック２４側の断面略鋸歯形状の複数の凸条部２５に対応する形状を有している。具体的には、各凹条部１５は、略水平な面１５ａと傾斜した面１５ｂとで鋸歯の１山が嵌るように構成されている。
【００３４】
スライドブロック１４が固定ブロック２４から引き抜かれる方向には、固定ブロック２４側の凸条部２５が、その傾斜した面２５ｂをスライドブロック１４側の凹条部１５の傾斜した面１５ｂに摺接させつつ乗り越えることで、スライドできる構成となっている。一方、その逆の方向には、固定ブロック２４側の凸条部２５が、その略水平な面２５ａをスライドブロック１４側の凹条部１５の略水平な面１５ａに突き当てる状態になるので、スライドできない構成となっている。
【００３５】
本実施形態では、凸条部２５と凹条部１５の断面形状が略鋸歯形状であるが、形状はこれに限定されない。歯先が上向きの任意の断面形状のものを採用でき、要は、スライドブロック１４が固定ブロック２４から引き抜かれる方向にスライドでき、その逆方向にはスライドできないような形状ならばどんな断面形状のものでもよい。
【００３６】
次に、連結部２６においてスライドブロック１４が固定ブロックから抜けるのを防止する構成について説明する。
図３（ｂ）に示すように、固定ブロック２４の別の一側面２７ａの上部に第１抜け止め部２８が形成されている。また、図５（ｂ）に示すように、固定ブロック２４の第１抜け止め部２８に対応するスライドブロック１４の凹部１６の内面下部に、第１抜け止め部２８に係止する第２抜け止め部１８が形成されている。
【００３７】
具体的には、固定ブロック２４側の第１抜け止め部２８は凹状部であり、スライドブロック１４側の第２抜け止め部１８は、第１抜け止め部２８の凹状部に係止する凸状部である。また、第１抜け止め部２８を凸状部とし、第２抜け止め部１８を凹状部としてもよい。スライドブロック１４が固定ブロック２４から引き抜かれる方向にスライドしていき、スライド可能な最上部に達したとき、スライドブロック１４側の凸状の第１抜け止め部２８が、固定ブロック２４側の凹状の第２抜け止め部１８に嵌るようになっている。これにより、スライドブロック１４は上方にそれ以上スライドできず、固定ブロック２４から抜け出ることを防止する構成となっている。
【００３８】
次に、連結部２６において固定ブロック２４とスライドブロック１４との相対的な配置を規制する構成について説明する。
図２、図３（ａ）に示すように、固定ブロック２４の両側面２４ａ、２４ａとは別の両側面２４ｂ、２４ｂに直方体形状の位置決め凸部２７、２７がそれぞれ一体的に設けられている。また、図４、図５（ａ）に示すように、固定ブロック２４の位置決め凸部２７に対応するスライドブロック１４の凹部１６の内面に、位置決め凸部２７に嵌合する位置決め凹部１７が形成されている。そして、位置決め凸部２７と位置決め凹部１７とが当接することで固定ブロック２４側の凸条部２５とスライドブロック１４側の凹条部１５との隙間を規制する構成となっている。
【００３９】
具体的には、固定ブロック２４側の位置決め凸部２７の両側面２７ｂ、２７ｂ（図３（ａ）参照）が、スライドブロック１４側の位置決め凹部１７の対向面１７ｂ、１７ｂ（図５（ａ）参照）に所定の余裕をもって当接する構成となっている。これにより、Ｘ軸に沿った固定ブロック２４とスライドブロック１４との相対的な水平移動が所定の範囲内に規制され、凸条部２５と凹条部１５との隙間がＸ方向の両サイドで均等になる構成である。
【００４０】
また、固定ブロック２４側の位置決め凸部２７、２７のそれぞれの側面２７ａ、２７ａ（図３（ａ）参照）が、スライドブロック１４側の位置決め凹部１７の対向面１７ａ、１７ａ（図５（ａ）参照）に所定の余裕をもって当接する構成となっている。これにより、Ｙ軸に沿った固定ブロック２４とスライドブロック１４との相対的な水平移動が所定の範囲内に規制され、固定ブロック２４とスライドブロック１４との隙間がＹ方向の両サイドで均等になる構成である。
【００４１】
本発明の本実施の形態に係るワイヤハーネスＷは、電線束２と、上記のバンドクリップ１とを備え、バンドクリップ１のバンド本体１０で電線束２が抱持されている。
【００４２】
次に、本実施の形態に係るバンドクリップ１を用いて電線束２を段差のある支持パネル３に配索する方法を説明する。
図６（ａ）はアンカー部２１を支持パネル３の取付孔４に挿入する前の状態を示し、図６（ｂ）は挿入直後の状態を示し、図６（ｃ）は挿入後にスライドブロック１４が持ち上がった状態を示す。
【００４３】
まず、図６（ａ）に示すように、支持パネル３への取付前、バンドクリップ１は、連結部２６においてスライドブロック１４が固定ブロック２４に所要外力の作用下で最大限押し込められた状態、すなわち連結長が最短の状態になっている。また、バンド部１１で電線束２を抱持しておく。
【００４４】
次に、図６（ｂ）に示すように、クリップ本体２０を支持パネル３の取付孔４に係止する。このとき、電線束２は支持パネル３の段差により強制的に曲げられた状態になっている。この状態の電線束２は元のまっすぐな状態に戻ろうとする。すなわち、電線束２に復元力が発生する。電線束２のこの復元力により、連結部２６のスライドブロック１４には上方に引張力が作用する。これにより、スライドブロック１４は固定ブロック２４から引き抜かれる方向に所定の距離、人手を介さずにスライドしていく。
【００４５】
図６（ｃ）は、スライドブロック１４のスライド動作が終了した状態を示している。電線束２は元のまっすぐな状態に復元しており、電線束２の強制的な曲げにより発生する復元力に起因する応力はクリップ本体２０に掛かっていない。このようにして、スライドブロック１４がスライド可能な範囲で、電線束２の配索段差が解消される。
【００４６】
次に、作用・効果について説明する。
上述したように、本発明の実施形態に係るバンドクリップ１は、スライドブロック１４が固定ブロック２４に最大限嵌合した状態でバンド本体１０により電線束２を抱持し、アンカー部２１を支持パネル３の取付孔４に係止させる。この状態から、電線束２の復元力により人手を介さずにスライドブロック１４が固定ブロック２４から引き上げ、所望の位置で電線束２を保持することができる。これにより、従来技術のように段差を吸収するために作業員がバンド本体を押し下げる等の作業を行う必要がないので、作業性が向上する。
【００４７】
また、バンド本体１０とクリップ本体２０とが水平方向にオフセットしていないので、アンカー部２１に応力が集中することもない。これにより、段差のある支持パネル３に対して電線束２の配索作業を行うとき、クリップ本体２０を破損する可能性を低減できる。
【００４８】
また、スライドブロック１４が固定ブロック２４から最大限引き出された状態に達すると、第１抜け止め部１８と第２抜け止め部２８とが係合して、その状態を保持する。これにより、スライドブロック１４が固定ブロック２４から抜け出ることがなく、バンド本体１０とクリップ本体２０とが分離するのを防止できる。
【００４９】
また、固定ブロック２４側の位置決め凸部２７とスライドブロック１４側の位置決め凹部１７とを嵌合させる構成とすることで、スライドブロック１４の凸条部２５と固定ブロック２４の凹条部１５との隙間を両側面で均等に設定することができる。これにより、スライドブロック１４がスライドするのに要する力を必要最小限に維持することができる。これにより、スライドブロック１４のスライドに利用する電線束２の復元力が小さくてもスライド移動が可能となる。
【００５０】
また、本実施の形態に係るワイヤハーネスＷは、電線束２と、バンドクリップ１とを備え、バンドクリップ１のバンド本体１０で電線束２を抱持した構成であるので、バンドクリップ１について上述した効果と同様の効果を奏する。
【００５１】
本発明は、取付孔の箇所が低くなっている段差のある支持パネルに電線束を配索する際に部品が破損し難く配索作業が容易であるという効果を有し、バンドクリップおよびこれを備えたワイヤハーネスの全般に有用である。
【符号の説明】
【００５２】
１  バンドクリップ
２  電線束
３  支持パネル
４  取付孔
１０  バンド本体
１１  バンド部
１２  バンド部固定部
１４  スライドブロック
１５  凹条部
１６  凹部
１７  位置決め凹部
１８  第１抜け止め部
２０  クリップ本体
２１  アンカー部
２３  皿部
２４  固定ブロック
２５  凸条部
２６  連結部
２７  位置決め凸部
２８  第２抜け止め部
【図１】
2017153185.tif 000003
【図２】
2017153185.tif 000004
【図３】
2017153185.tif 000005
【図４】
2017153185.tif 000006
【図５】
2017153185.tif 000007
【図６】
2017153185.tif 000008
【図７】
2017153185.tif 000009